(57)【要約】【課題】テレビジョン受像機の電源オン時の音量を一元管理するための大がかりなシステムを不要とし、テレビジョン受像機の電源オン時の音量の管理を不要とする。【解決手段】制御部１９により、テレビジョン受像機１０の電源オン時にスピーカ１５ａ，１５ｂの音量レベルが初期設定されている基準音量となるように音声増幅回路１４による音量レベルの調整を制御し、たとえばリモコン送信機２０による音量調整操作に合わせて基準音量に対する音量変化の差分をメモリ１７に記憶させ、その音量変化の差分の累計値が所定の音量調整判断値（たとえば２００）に達したとき、初期設定されている基準音量（たとえば＋１する）を変えることで、次回の電源オン時に、その変えた基準音量となるようにスピーカ１５ａ，１５ｂの音量レベルが制御されるようにした。【選択図】図１
2008206034.tif 000002
【特許請求の範囲】
【請求項１】
スピーカの音量レベルの調整を行う音量調整装置であって、
音量調整操作に基づき前記音量レベルを調整する音量レベル調整手段と、
該音量レベル調整手段による音量レベルの調整に合わせて音量変化の履歴を記憶する記憶手段と、
電源オン時に初期設定されている基準音量となるように前記音量レベル調整手段による音量レベルの調整を制御し、前記音量調整操作に合わせて前記基準音量に対する音量変化の差分を記憶させる制御手段とを備え、
前記制御手段は、前記音量変化の差分の累計値が所定の音量調整判断値に達したとき、前記初期設定されている基準音量を変えることを特徴とする音量調整装置。
【請求項２】
前記制御手段は、
選局操作によって選局されたチャンネル毎に前記基準音量に対する音量変化の差分を記憶させ、
前記選局操作によって選局が行われる毎に、該選局の直前の前記音量変化の差分を累計し、
電源オフ時に、該電源オフ時の前記基準音量に対する音量変化の差分を前記累計した差分に加え、差分の累計値として前記記憶手段に記憶させ、
次回の電源オン時に、前記記憶手段に記憶させた前記差分の累計値に前記選局操作による選局の直前の前記音量変化の差分を順次加える
ことを特徴とする請求項１に記載の音量調整装置。
【請求項３】
前記制御手段は、前記音量変化の差分の累計値が所定の音量調整判断値に達したとき、前記初期設定されている基準音量の音量レベルに対し所定値を加算又は減算することを特徴とする請求項１又は２に記載の音量調整装置。
【請求項４】
請求項１〜３のいずれかに記載の音量調整装置を備えることを特徴とするテレビジョン受像機。
【請求項５】
スピーカの音量レベルの調整を行う音量調整方法であって、
音量調整操作に基づき前記音量レベルを調整するステップと、
該調整に合わせて音量変化の履歴を記憶するステップと、
電源オン時に初期設定されている基準音量となるように前記音量レベルの調整を制御し、前記音量調整操作に合わせて前記基準音量に対する音量変化の差分を記憶させるステップとを有し、
前記音量変化の差分の累計値が所定の音量調整判断値に達したとき、前記初期設定されている基準音量を変える
ことを特徴とする音量調整方法。
【請求項６】
選局操作によって選局されたチャンネル毎に前記基準音量に対する音量変化の差分を記憶させるステップと、
前記選局操作によって選局が行われる毎に、該選局の直前の前記音量変化の差分を累計するステップと、
電源オフ時に、該電源オフ時の前記基準音量に対する音量変化の差分を前記累計した差分に加え、差分の累計値として記憶させるステップと、
次回の電源オン時に、前記記憶させた差分の累計値に前記選局操作による選局の直前の前記音量変化の差分を順次加えるステップとを有する
ことを特徴とする請求項５に記載の音量調整方法。
【請求項７】
前記音量変化の差分の累計値が所定の音量調整判断値に達したとき、前記初期設定されている基準音量の音量レベルに対し所定値を加算又は減算するステップを有することを特徴とする請求項５又は６に記載の音量調整方法。
【発明の詳細な説明】
【技術分野】
【０００１】
本発明は、電源オン時における音量調整を自動で行う音量調整装置、テレビジョン受像機及び音量調整方法に関する。
【背景技術】
【０００２】
近年のテレビジョン受像機にあっては、地上波放送（ＶＨＦ／ＵＨＦ）、衛星放送（ＢＳ／ＣＳ）からの放送チャンネルをチューナで受信して視聴できるばかりか、たとえばＣＡＴＶ（ケーブルテレビジョン）のように、非常に多数の放送チャンネルの中から、好みの放送チャンネルを選択して視聴することができるものがある。
【０００３】
これらの放送チャンネルを選択するときは、たとえば音楽、映画、ニュース、教養番組等のソースの内容や、テレビジョン受像機の設置環境等に合わせ、視聴者がその都度所望の音量ボリュームに調整することで、快適な音声で視聴することができるようになっている。また、テレビジョン受像機等に電源を投入して、新たに放送チャンネルの視聴を開始するときは、前回電源をオフにしたときに保持設定されていた音量ボリュームで音声出力がなされるようになっている。
【０００４】
ところで、このようなテレビジョン受像機を、たとえばホテル等の宿泊施設の各客室に設置して使用する場合、音量は宿泊客の好みに応じて調整されることになる。また、このような宿泊施設は、不特定多数の宿泊客が利用するため、それぞれの宿泊客によりテレビジョン受像機の音量が好みに応じて調整されることになる。
【０００５】
この場合、宿泊客がチェックアウトした後に、テレビジョン受像機の音量をそのままにしておくと、新たな宿泊客がチェックインしてテレビジョン受像機の電源をオンしたとき、音量が極端に大きかったり小さかったりすることもある。
【０００６】
このように、電源オン時の音量が極端に大きかったり小さかったりすると、新たな宿泊客に対しての細かなサービスの気配りの低下に繋がるおそれがあるため、ホテル等の宿泊施設によってはテレビジョン受像機の電源オン時の音量が任意の基準音量となるように予め設定しておくところもある。
【０００７】
ところが、このような電源オン時の基準音量は、各客室に設置されたテレビジョン受像機に対して一律となっていたため、室内のレイアウトや室内の広さが異なる等の要因により、客室によっては適切な基準音量となっていないことがある。このような場合、たとえば宿泊客がチェックアウトした後、ホテルスタッフにより適切な基準音量となっていない客室のテレビジョン受像機の音量の調整のし直しが行われる場合があるが、その調整のし直しが煩雑であるばかりか、客室内の清掃等に追われて音量の調整をし忘れるおそれもある。
【０００８】
ここで、テレビジョン受像機の音量を調整する方法として、特許文献１では、センター側と客室に設置された端末機とを接続し、センター側から客室の端末機に出力音量の上限値を送信し、客室の端末機では操作音量がセンター側からの上限値よりも小さい場合にその操作音量で出力し、操作音量がセンター側からの上限値よりも大きい場合にはその上限値で出力するようにしたホテルＣＡＴＶの端末機音量制限方法を提案している。
【特許文献１】特開平０９−４６６８７号公報
【発明の開示】
【発明が解決しようとする課題】
【０００９】
このように、上述した特許文献１に示されているホテルＣＡＴＶの端末機音量制限方法では、センター側から客室の端末機に出力音量の上限値を送信することで、客室の端末機での操作音量の上限値が規制されるため、たとえば夜間において周りが静かになったときにテレビジョン受像機からの音で近隣の客室の宿泊客に迷惑をかけることが無くなるような制御が可能となる。
【００１０】
ところで、このようなホテルＣＡＴＶの端末機音量制限方法を利用し、上述したように宿泊客がたとえばチェックアウトする度に、センター側から客室内のテレビジョン受像機へその客室内のテレビジョン受像機の電源オン時の音量が適切となるような基準音量を示す基準値を送信するようにすれば、ホテルスタッフによる適切な基準音量となっていない客室のテレビジョン受像機の音量の調整のし直しが不要となり、しかも室内の清掃に追われて音量の調整をし忘れるということもなくなると考えられる。
【００１１】
ところが、このようなホテルＣＡＴＶの端末機音量制限方法を利用しようとすると、センター側と各客室のテレビジョン受像機とを接続し、センター側で各客室のテレビジョン受像機の電源オン時の音量を管理する必要があり、その管理のためのシステムが大がかりになるばかりか、その管理が煩わしいという問題があった。
【００１２】
本発明は、このような状況に鑑みてなされたものであり、上記問題点を解決することができる音量調整装置、テレビジョン受像機及び音量調整方法を提供することを目的とする。
【課題を解決するための手段】
【００１３】
本発明の音量調整装置は、スピーカの音量レベルの調整を行う音量調整装置であって、音量調整操作に基づき前記音量レベルを調整する音量レベル調整手段と、該音量レベル調整手段による音量レベルの調整に合わせて音量変化の履歴を記憶する記憶手段と、電源オン時に初期設定されている基準音量となるように前記音量レベル調整手段による音量レベルの調整を制御し、前記音量調整操作に合わせて前記基準音量に対する音量変化の差分を記憶させる制御手段とを備え、前記制御手段は、前記音量変化の差分の累計値が所定の音量調整判断値に達したとき、前記初期設定されている基準音量を変えることを特徴とする。
また、前記制御手段は、選局操作によって選局されたチャンネル毎に前記基準音量に対する音量変化の差分を記憶させ、前記選局操作によって選局が行われる毎に、該選局の直前の前記音量変化の差分を累計し、電源オフ時に、該電源オフ時の前記基準音量に対する音量変化の差分を前記累計した差分に加え、差分の累計値として前記記憶手段に記憶させ、次回の電源オン時に、前記記憶手段に記憶させた前記差分の累計値に前記選局操作による選局の直前の前記音量変化の差分を順次加えるようにすることができる。
また、前記制御手段は、前記音量変化の差分の累計値が所定の音量調整判断値に達したとき、前記初期設定されている基準音量の音量レベルに対し所定値を加算又は減算するようにすることができる。
本発明のテレビジョン受像機は、請求項１〜３のいずれかに記載の音量調整装置を備えることを特徴とする。
本発明の音量調整方法は、スピーカの音量レベルの調整を行う音量調整方法であって、音量調整操作に基づき前記音量レベルを調整するステップと、該調整に合わせて音量変化の履歴を記憶するステップと、電源オン時に初期設定されている基準音量となるように前記音量レベルの調整を制御し、前記音量調整操作に合わせて前記基準音量に対する音量変化の差分を記憶させるステップとを有し、前記音量変化の差分の累計値が所定の音量調整判断値に達したとき、前記初期設定されている基準音量を変えることを特徴とする。
また、選局操作によって選局されたチャンネル毎に前記基準音量に対する音量変化の差分を記憶させるステップと、前記選局操作によって選局が行われる毎に、該選局の直前の前記音量変化の差分を累計するステップと、電源オフ時に、該電源オフ時の前記基準音量に対する音量変化の差分を前記累計した差分に加え、差分の累計値として記憶させるステップと、次回の電源オン時に、前記記憶させた差分の累計値に前記選局操作による選局の直前の前記音量変化の差分を順次加えるステップとを有するようにすることができる。
また、前記音量変化の差分の累計値が所定の音量調整判断値に達したとき、前記初期設定されている基準音量の音量レベルに対し所定値を加算又は減算するステップを有するようにすることができる。
本発明の音量調整装置、テレビジョン受像機及び音量調整方法では、電源オン時にスピーカの音量レベルが初期設定されている基準音量となるように制御し、音量調整操作に合わせて基準音量に対する音量変化の差分を記憶させ、その音量変化の差分の累計値が所定の音量調整判断値に達したとき、初期設定されている基準音量を変えることで、次回の電源オン時に、その変えた基準音量となるようにスピーカの音量レベルが制御される。
これにより、たとえばホテル等の宿泊施設の各客室で不特定多数の宿泊客が好みの音量に調整した際の調整値を元に電源オン時の基準音量が自動的に変更されるので、室内のレイアウトや室内の広さが異なる等の要因により、客室毎に電源オン時の音量が適切で無い場合でも、客室毎に電源オン時の音量が適切となるように自動的に設定される。
【発明の効果】
【００１４】
本発明の音量調整装置、テレビジョン受像機及び音量調整方法によれば、たとえばホテル等の宿泊施設の各客室で不特定多数の宿泊客が好みの音量に調整した際の調整値を元に電源オン時の基準音量が自動的に変更されるようにしたので、室内のレイアウトや室内の広さが異なる等の要因により、客室毎に電源オン時の音量が適切で無い場合でも、客室毎に電源オン時の音量が適切となるように自動的に設定することができることから、各客室のテレビジョン受像機の電源オン時の音量を一元管理するための大がかりなシステムが不要となるばかりか、各客室毎のテレビジョン受像機の電源オン時の音量の管理を不要とすることができる。
【発明を実施するための最良の形態】
【００１５】
本実施形態では、制御手段により、電源オン時にスピーカの音量レベルが初期設定されている基準音量となるように音量レベル調整手段による音量レベルの調整を制御し、音量調整操作に合わせて基準音量に対する音量変化の差分を記憶手段に記憶させ、その音量変化の差分の累計値が所定の音量調整判断値に達したとき、初期設定されている基準音量を変えることで、次回の電源オン時に、その変えた基準音量となるようにスピーカの音量レベルが制御されるようにした。
【００１６】
これにより、たとえばホテル等の宿泊施設の各客室で不特定多数の宿泊客が好みの音量に調整した際の調整値を元に電源オン時の基準音量が自動的に変更されることから、室内のレイアウトや室内の広さが異なる等の要因により、客室毎に電源オン時の音量が適切で無い場合でも、客室毎に電源オン時の音量が適切となるように自動的に設定されることになり、各客室のテレビジョン受像機の電源オン時の音量を一元管理するための大がかりなシステムが不要となるばかりか、各客室毎のテレビジョン受像機の電源オン時の音量の管理が不要となる。
【実施例】
【００１７】
以下、本発明の実施例の詳細について説明する。図１は、本発明の音量調整装置が適用されるテレビジョン受像機の一実施例を説明するための図である。
【００１８】
図１に示すテレビジョン受像機１０は、たとえばホテル等の宿泊施設の各客室に設置される場合を想定したものであり、チューナ１１、映像処理回路１２、表示部１３、音声増幅回路１４、スピーカ１５ａ，１５ｂ、ＯＳＤコントローラ１６、メモリ１７、リモコン受信器１８、制御部１９を備えている。
【００１９】
チューナ１１は、たとえばリモコン受信器１８によって受信されたリモコン送信機２０からの選局データに基づきデジタル放送信号の選局を行う。映像処理回路１２は、チューナ１１によって選局されたデジタル放送信号を復調し、ＭＰＥＧ２符号化方式等で符号化された映像、音声、データが多重されたビットストリームから映像データ、音声データ、電子番組表データ等の各種データを分離・抽出する。また、映像処理回路１２は、その分離・抽出した映像データ及び音声データに対しＭＰＥＧ２等の復号処理を行って出力する。
【００２０】
表示部１３は、映像処理回路１２によって復号処理された映像信号に基づき、映像を表示する。なお、表示部１３としては、液晶やプラズマ等の表示パネルを用いることができる。
【００２１】
音量レベル調整手段としての音声増幅回路１４は、映像処理回路１２によって復号処理された音声信号に対し、たとえばリモコン受信器１８によって受信されたリモコン送信機２０からの音量調整指示に応じた音量となるように増幅する。また、音声増幅回路１４は、制御部１９によって電源オン時の増幅率が基準音量となるように制御されるようになっているが、その詳細については後述する。
【００２２】
スピーカ１５ａは、音声増幅回路１４によって増幅された右の信号を出力する。スピーカ１５ｂは、音声増幅回路１４によって増幅された左の信号を出力する。ＯＳＤコントローラ１６は、表示部１３に、少なくともリモコン送信機２０等からの選局指示に応じた内容や音量調整指示に応じた音量調整画面等を表示させる。
【００２３】
記憶手段としてのメモリ１７には、制御部１９による少なくとも各部の動作制御に必要な制御プログラムや画質調整に必要な制御プログラムが記憶されている。また、メモリ１７には、後述の音量変化履歴テーブル３０が記憶されている。この音量変化履歴テーブル３０には、テレビジョン受像機１０の電源オン時の基準音量に対する音量変化の差分がチャンネル（ＣＨ）毎に記憶されるようになっており、それぞれのチャンネル（ＣＨ）毎の差分の累計値が音量調整判断値であるたとえば２００に達したとき、テレビジョン受像機１０の電源オン時の基準音量が変更されるようになっているが、その詳細については後述する。
【００２４】
制御手段としての制御部１９は、メモリ１７に記憶されている制御プログラムに基づいて各部の動作を制御する。本実施例における制御部１９の主な制御としては、たとえばホテル等の宿泊施設の客室内において、不特定多数の宿泊客による音量調整に基づき、テレビジョン受像機１０が設置されている客室内の電源オン時の音量が最適となるような基準音量を設定することである。
【００２５】
すなわち、制御部１９は、たとえばリモコン送信機２０による選局操作と音量調整操作に合わせてメモリ１７に設けられている後述の音量変化履歴テーブル３０に、基準音量に対する音量変化を選局されたチャンネル（ＣＨ）毎に記憶させ、それぞれのチャンネル（ＣＨ）毎の差分の累計が音量調整判断値であるたとえば２００に達したとき、初期設定されていた基準音量である音量レベルのたとえば２０に＋１し、その音量レベルの２１を新たな基準音量とする。そして、電源オン時の音声増幅回路１４での増幅率を、その新たな基準音量とした音量レベルの２１となるように制御する。
【００２６】
図２は、メモリ１７に設けられている音量変化履歴テーブル３０を説明するための図である。同図に示すように、音量変化履歴テーブル３０には、テレビジョン受像機１０の電源オンから電源オフまでの間での音量変化を記録する音量変化サブテーブル３０ａ，３０ｂが電源オン〜オフ毎に順次作成されるようになっている。
【００２７】
ここで、音量変化サブテーブル３０ａは、たとえば２ＣＨ、３ＣＨ、４ＣＨ、５ＣＨに順に選局によって切り替えられた場合を示している。また、音量変化サブテーブル３０ｂは、たとえば４ＣＨ、１０ＣＨ、８ＣＨ、６ＣＨに順に選局によって切り替えられた場合を示している。
【００２８】
また、音量変化サブテーブル３０ａ，３０ｂには、チャンネル（ＣＨ）記憶領域３０ｃと、音量変化値記憶領域３０ｄと、音量レベル変化記憶領域３０ｅと、差分記憶領域３０ｆとが設けられている。ここで、音量変化サブテーブル３０ａでは、電源オン時に２ＣＨが選局されていて、初期の基準音量の音量レベルの２０で音声出力が行われた後、音量レベルが２１〜２２に変化した場合を示している。
【００２９】
このとき、音量変化値記憶領域３０ｄには音量変化前の値に対する増減分が記憶され、音量レベル変化記憶領域３０ｅにはたとえばリモコン送信機２０によって調整された音量レベルが記憶され、差分記憶領域３０ｆには基準音量に対する音量変化の差分が記憶されるようになっている。
【００３０】
また、チャンネル（ＣＨ）切替時及び電源オフ時毎に差分の累計値が順次求められるとともに、電源オフ時に求めらた差分の累計値がメモリ１７に記憶されるようになっている。そして、音量変化サブテーブル３０ｂに示すように、たとえば８ＣＨから６ＣＨに切り替えられたときに差分の累計値が音量調整判断値である２００を超えた場合は、音量レベルの基準音量が初期の基準音量の２０にたとえば＋１した２１に変更され、次のテレビジョン受像機１０の電源オン時にはその基準音量を２１とした音量レベルとなるように、音声増幅回路１４での増幅率が制御されるようになっている。
【００３１】
なお、初期の基準音量を変更する場合、＋１に限定されるものではなく、任意の値を用いてもよいことは勿論である。また、差分の累計値が音量調整判断値である２００を超えて基準音量が変更されると、テレビジョン受像機１０の電源オンから電源オフに合わせて順次作成される音量変化サブテーブル３０ａ，３０ｂが削除され、基準音量をたとえば２１とした場合での新たな音量変化サブテーブルが順次作成される。
【００３２】
これにより、たとえばホテル等の宿泊施設の客室内において、不特定多数の宿泊客による音量調整に基づき、テレビジョン受像機１０が設置されている客室内の電源オン時の適切な基準音量が得られることで、各客室内のテレビジョン受像機１０の音量が最適となるような基準音量に自動的に設定されることになることから、ホテルスタッフによる各客室内のテレビジョン受像機１０の音量を基準音量に設定していく作業が不要となる。
【００３３】
なお、基準音量を変更する場合の音量調整判断値は２００に限られるものではなく、任意に設定されてもよいことは勿論である。また、各チャンネル（ＣＨ）毎に記憶される音量変化値記憶領域３０ｄ、音量レベル変化記憶領域３０ｅ、差分記憶領域３０ｆでは、それぞれ音量調整操作が３回行われた場合で示しているが、その音量調整操作がたとえば１回の場合はその１回分が記憶され、さらにその音量調整操作が４回以上の場合はその回数分が記憶されることになる。
【００３４】
また、各チャンネル（ＣＨ）毎の音量変化値記憶領域３０ｄ、音量レベル変化記憶領域３０ｅ、差分記憶領域３０ｆに音量の変化分等を記憶させる場合は、音量調整が確定した後に行われるようにすればよい。すなわち、たとえばリモコン送信機２０による音量調整操作は、たとえばＯＳＤコントローラ１６により表示部１３に表示される、音量調整画面であるレベルメータ等を確認しながら行われることがあるため、その音量調整画面が消去されたときに音量調整が確定したものと判断して音量変化値記憶領域３０ｄ、音量レベル変化記憶領域３０ｅ、差分記憶領域３０ｆにそれぞれの値が記憶されるようにすればよい。
【００３５】
次に、テレビジョン受像機１０の音量調整方法について説明する。なお、以下の説明においては、上述した音量変化サブテーブル３０ａに示したように、電源オン時での初期の基準音量である音量レベルをたとえば２０とし、基準音量を変更する場合の音量調整判断値を２００とし、さらに初期の電源オン時での表示部１３に表示される映像のチャンネル（ＣＨ）を２ＣＨとするものとする。
【００３６】
まず、図３に示すように、テレビジョン受像機１０の電源がオンされると（ステップＳ１）、制御部１９により音声増幅回路１４が制御され、初期の基準音量である音量レベルがたとえば２０となるように増幅値が制御される（ステップＳ２）。
【００３７】
次いで、現在視聴中の２ＣＨにおいて、たとえばリモコン送信機２０による音量調整操作の有無が判断され（ステップＳ３）、音量調整操作が有る場合は上述した音量変化履歴テーブル３０の音量変化サブテーブル３０ａの音量変化値記憶領域３０ｄ、音量レベル変化記憶領域３０ｅ、差分記憶領域３０ｆのそれぞれに基準音量に対する音量の変化分等が記憶される（ステップＳ４）。
【００３８】
すなわち、音量レベルが初期の基準音量の２０から２１に変化した場合、音量変化値記憶領域３０ｄには初期の基準音量である音量レベルの２０との差である１が記憶され、音量レベル変化記憶領域３０ｅにはその音量レベルの２１が記憶され、差分記憶領域３０ｆには初期の基準音量である音量レベルの２０との差である１が記憶される。
【００３９】
なお、これらの音量変化値記憶領域３０ｄ、音量レベル変化記憶領域３０ｅ、差分記憶領域３０ｆへのそれぞれの値の記憶に際しては、音量調整が確定した後に行われるようにすればよい。すなわち、たとえば音量調整操作が無いと判断された時間が数十秒程度経過した後に行われるようにしてもよい。また、音量調整操作が行われる場合は、ＯＳＤコントローラ１６により表示部１３に表示される、音量調整画面であるレベルメータ等を確認しながら行われることがあるため、その音量調整画面が消去されたときに音量調整が確定したものと判断して音量変化値記憶領域３０ｄ、音量レベル変化記憶領域３０ｅ、差分記憶領域３０ｆにそれぞれの値が記憶されるようにしてもよい。
【００４０】
また、現在視聴中の２ＣＨにおいて、再度、音量調整操作が行われた場合は、上記同様にして音量調整が確定した後に音量変化値記憶領域３０ｄ、音量レベル変化記憶領域３０ｅ、差分記憶領域３０ｆのそれぞれに基準音量に対する音量の変化分等が記憶される。すなわち、音量調整操作によってその音量レベルが２１から２２に上げられると、音量変化値記憶領域３０ｄには音量レベルの２１との差である１が記憶され、音量レベル変化記憶領域３０ｅにはその音量レベルの２２が記憶され、差分記憶領域３０ｆには初期の基準音量である音量レベルの２０との差である２が記憶される。
【００４１】
次に、選局操作の有無が判断され（ステップＳ５）、選局操作が有ると判断されると、制御部１９によりチューナ１１が制御され、その選局操作に応じたチャンネル（ＣＨ）の映像が表示部１３に表示される（ステップＳ６）。このとき、音量変化サブテーブル３０ａのチャンネル（ＣＨ）記憶領域３０ｃに示すように、３ＣＨが選局された場合は、その３ＣＨの映像が表示部１３に表示されることになる。
【００４２】
またこのとき、その選局に併せて制御部１９により、差分の累計値が求められる（ステップＳ７）。すなわち、３ＣＨへの選局の直前の差分記憶領域３０ｆに記憶されている２が差分の累計値として求められる。
【００４３】
また、３ＣＨに選局されたとき、音量調整操作が行われていなければ、音量レベルが選局直前の２２のままであるため、音量変化値記憶領域３０ｄには選局直前の音量レベルの２２との差である０が記憶され、音量レベル変化記憶領域３０ｅには選局直前の音量レベルの２２が記憶され、差分記憶領域３０ｆには初期の基準音量である音量レベルの２０との差である２が記憶される。
【００４４】
ここで、現在視聴中の３ＣＨにおいて、音量調整操作が行われた場合は、上記同様にして音量調整が確定した後に音量変化値記憶領域３０ｄ、音量レベル変化記憶領域３０ｅ、差分記憶領域３０ｆのそれぞれに基準音量に対する音量の変化分等が記憶される。すなわち、現在の音量レベルが２２であるとき、音量調整操作によってその音量レベルが２３に上げられると、音量変化値記憶領域３０ｄには選局直前の音量レベルの２２との差である１が記憶され、音量レベル変化記憶領域３０ｅには音量調整操作による音量レベルの２３が記憶され、差分記憶領域３０ｆには初期の基準音量である音量レベルの２０との差である３が記憶される。
【００４５】
さらに、現在視聴中の３ＣＨにおいて、再度、音量調整操作が行われた場合は、上記同様にして音量調整が確定した後に音量変化値記憶領域３０ｄ、音量レベル変化記憶領域３０ｅ、差分記憶領域３０ｆのそれぞれに基準音量に対する音量の変化分等が記憶される。すなわち、現在の音量レベルが２３であるとき、音量調整操作によってその音量レベルが２４に上げられると、音量変化値記憶領域３０ｄには選局直前の音量レベルの２３との差である１が記憶され、音量レベル変化記憶領域３０ｅには音量調整操作による音量レベルの２４が記憶され、差分記憶領域３０ｆには初期の基準音量である音量レベルの２０との差である４が記憶される。
【００４６】
次に、選局操作が有ると、制御部１９によりチューナ１１が制御され、その選局操作に応じたチャンネル（ＣＨ）の映像が表示部１３に表示される。このとき、上述した音量変化サブテーブル３０ａのチャンネル（ＣＨ）記憶領域３０ｃに示すように、４ＣＨが選局された場合は、その４ＣＨの映像が表示部１３に表示されることになる。
【００４７】
またこのとき、その選局に併せて制御部１９により、差分の累計値が求められる。すなわち、４ＣＨへの選局の直前の差分記憶領域３０ｆに記憶されている４を前回の累計値の２に加えた６が差分の累計値として求められる。
【００４８】
ここで、現在視聴中の４ＣＨにおいて、音量調整操作が行われた場合は、上記同様にして音量調整が確定した後に音量変化値記憶領域３０ｄ、音量レベル変化記憶領域３０ｅ、差分記憶領域３０ｆのそれぞれに基準音量に対する音量の変化分等が記憶される。すなわち、現在の音量レベルが２４であるとき、音量調整操作によってその音量レベルが２５に上げられると、音量変化値記憶領域３０ｄには選局直前の音量レベルの２４との差である１が記憶され、音量レベル変化記憶領域３０ｅには音量調整操作による音量レベルの２４が記憶され、差分記憶領域３０ｆには初期の基準音量である音量レベルの２０との差である４が記憶される。
【００４９】
さらに、現在視聴中の４ＣＨにおいて、再度、音量調整操作が行われた場合は、上記同様にして音量調整が確定した後に音量変化値記憶領域３０ｄ、音量レベル変化記憶領域３０ｅ、差分記憶領域３０ｆのそれぞれに基準音量に対する音量の変化分等が記憶される。すなわち、現在の音量レベルが２５であるとき、音量調整操作によってその音量レベルが２６に上げられると、音量変化値記憶領域３０ｄには選局直前の音量レベルの２５との差である１が記憶され、音量レベル変化記憶領域３０ｅには音量調整操作による音量レベルの２６が記憶され、差分記憶領域３０ｆには初期の基準音量である音量レベルの２０との差である６が記憶される。
【００５０】
次に、選局操作が有ると、制御部１９によりチューナ１１が制御され、その選局操作に応じたチャンネル（ＣＨ）の映像が表示部１３に表示される。このとき、上述した音量変化サブテーブル３０ａのチャンネル（ＣＨ）記憶領域３０ｃに示すように、５ＣＨが選局された場合は、その５ＣＨの映像が表示部１３に表示されることになる。
【００５１】
またこのとき、その選局に併せて制御部１９により、差分の累計値が求められる。すなわち、５ＣＨへの選局の直前の差分記憶領域３０ｆに記憶されている６を前回の累計値の６に加えた１２が差分の累計値として求められる。
【００５２】
ここで、現在視聴中の５ＣＨにおいて、音量調整操作が行われた場合は、上記同様にして音量調整が確定した後に音量変化値記憶領域３０ｄ、音量レベル変化記憶領域３０ｅ、差分記憶領域３０ｆのそれぞれに基準音量に対する音量の変化分等が記憶される。すなわち、現在の音量レベルが２６であるとき、音量調整操作によってその音量レベルが２７に上げられると、音量変化値記憶領域３０ｄには選局直前の音量レベルの２６との差である１が記憶され、音量レベル変化記憶領域３０ｅには音量調整操作による音量レベルの２７が記憶され、差分記憶領域３０ｆには初期の基準音量である音量レベルの２０との差である７が記憶される。
【００５３】
さらに、現在視聴中の５ＣＨにおいて、音量レベルが２７から２８に上げられると、音量変化値記憶領域３０ｄには選局直前の音量レベルの２７との差である１が記憶され、音量レベル変化記憶領域３０ｅには音量調整操作による音量レベルの２８が記憶され、差分記憶領域３０ｆには初期の基準音量である音量レベルの２０との差である８が記憶される。
【００５４】
このようにして、音量変化サブテーブル３０ａにたとえばリモコン送信機２０による選局操作と音量調整操作に合わせ、初期の基準音量に対する音量変化を選局されたチャンネル（ＣＨ）毎に記憶させ、選局が行われる毎に差分の累計値を順次求めていく。
【００５５】
また、順次求められる差分の累計値が音量調整判断値の２００を超えたかどうかが判断されるが（ステップＳ８）、ここでは差分の累計値が音量調整判断値の２００を超えていないため（ステップＳ８：ｎｏ）、次にテレビジョン受像機１０の電源がオフされると（ステップＳ９）、５ＣＨに選局されたときに求められていた累計値の１２に、５ＣＨでの電源オフ時の差分記憶領域３０ｆに記憶されている８を加算した２０が差分の累計値として求められ、その差分の累計値の２０がメモリ１７に記憶される（ステップＳ１０）。
【００５６】
以降、テレビジョン受像機１０の電源オン時では、音量レベルが初期の基準音量である２０となるように、音声増幅回路１４の増幅値が制御されるとともに、テレビジョン受像機１０の電源オンから電源オフまでの間での音量変化を記録する音量変化サブテーブル３０ａに相当するものが順次作成され、さらに電源オフ時毎の差分の累計値がメモリ１７に記憶される。
【００５７】
そして、次にテレビジョン受像機１０の電源がオンされたとき（ステップＳ１）、上述した音量変化サブテーブル３０ｂに示すように、たとえば４ＣＨの映像が表示部１３に表示されたとする。このとき、差分の累計値が音量調整判断値の２００を超えていないものとすると、電源オン時での音量レベルが初期の基準音量の２０となるように音声増幅回路１４の増幅値が制御される（ステップＳ２）。
【００５８】
次いで、現在視聴中の４ＣＨにおいて、音量レベルが２０から２１に上げられると（ステップＳ３）、音量変化値記憶領域３０ｄには選局直前の音量レベルの２０との差である１が記憶され、音量レベル変化記憶領域３０ｅには音量調整操作による音量レベルの２１が記憶され、差分記憶領域３０ｆには初期の基準音量である音量レベルの２０との差である１が記憶される（ステップＳ４）。
【００５９】
また、現在視聴中の４ＣＨにおいて、音量レベルが２１から２３に上げられると、音量変化値記憶領域３０ｄには選局直前の音量レベルの２１との差である２が記憶され、音量レベル変化記憶領域３０ｅには音量調整操作による音量レベルの２３が記憶され、差分記憶領域３０ｆには初期の基準音量である音量レベルの２０との差である３が記憶される。
【００６０】
次に、選局操作が有ると（ステップＳ５）、制御部１９によりチューナ１１が制御され、その選局操作に応じたチャンネル（ＣＨ）の映像が表示部１３に表示される（ステップＳ６）。このとき、音量変化サブテーブル３０ｂのチャンネル（ＣＨ）記憶領域３０ｃに示すように、１０ＣＨが選局された場合は、その１０ＣＨの映像が表示部１３に表示されることになる。
【００６１】
またこのとき、その選局に併せて制御部１９により、差分の累計値が求められる（ステップＳ７）。すなわち、１０ＣＨへの選局の直前の差分記憶領域３０ｆに記憶されている３を前回の累計値の加えたものが差分の累計値として求められる。このときの差分の累計値はたとえば１９３であるものとする。
【００６２】
また、現在視聴中の１０ＣＨにおいて、音量レベルが２３から２４に上げられると、音量変化値記憶領域３０ｄには選局直前の音量レベルの２３との差である１が記憶され、音量レベル変化記憶領域３０ｅには音量調整操作による音量レベルの２４が記憶され、差分記憶領域３０ｆには初期の基準音量である音量レベルの２０との差である４が記憶される。
【００６３】
また、現在視聴中の１０ＣＨにおいて、音量レベルが２４から２３に下げられると、音量変化値記憶領域３０ｄには選局直前の音量レベルの２４との差である−１が記憶され、音量レベル変化記憶領域３０ｅには音量調整操作による音量レベルの２３が記憶され、差分記憶領域３０ｆには初期の基準音量である音量レベルの２０との差である３が記憶される。
【００６４】
次に、選局操作が有ると、制御部１９によりチューナ１１が制御され、その選局操作に応じたチャンネル（ＣＨ）の映像が表示部１３に表示される。このとき、音量変化サブテーブル３０ｂのチャンネル（ＣＨ）記憶領域３０ｃに示すように、８ＣＨが選局された場合は、その８ＣＨの映像が表示部１３に表示されることになる。
【００６５】
またこのとき、その選局に併せて制御部１９により、差分の累計値が求められる。すなわち、８ＣＨへの選局の直前の差分記憶領域３０ｆに記憶されている３を前回の累計値の１９３に加えた１９６が差分の累計値として求められる。
【００６６】
また、現在視聴中の８ＣＨにおいて、音量レベルが２３〜２４、２４〜２５、２５〜２６に順次上げられると、音量変化値記憶領域３０ｄにはそれぞれの変化の差に対応させた１が記憶され、音量レベル変化記憶領域３０ｅには音量調整操作による音量レベルの２４〜２６が記憶され、差分記憶領域３０ｆには初期の基準音量である音量レベルの２０との差である４〜６が記憶される。
【００６７】
次に、選局操作が有ると、制御部１９によりチューナ１１が制御され、その選局操作に応じたチャンネル（ＣＨ）の映像が表示部１３に表示される。このとき、音量変化サブテーブル３０ｂのチャンネル（ＣＨ）記憶領域３０ｃに示すように、６ＣＨが選局された場合は、その６ＣＨの映像が表示部１３に表示されることになる。
【００６８】
またこのとき、その選局に併せて制御部１９により、差分の累計値が求められる。すなわち、６ＣＨへの選局の直前の差分記憶領域３０ｆに記憶されている６を前回の累計値の１９６に加えた２０２が差分の累計値として求められる。
【００６９】
また、現在視聴中の６ＣＨにおいて、音量レベルが２６〜２７、２７〜２８に順次上げられると、音量変化値記憶領域３０ｄにはそれぞれの変化の差に対応させた１が記憶され、音量レベル変化記憶領域３０ｅには音量調整操作による音量レベルの２６〜２８が記憶され、差分記憶領域３０ｆには初期の基準音量である音量レベルの２０との差である６〜８が記憶される。
【００７０】
このとき、６ＣＨに選局されたときの差分の累計値が音量調整判断値の２００を超えているため（ステップＳ８：ｙｅｓ）、初期の基準音量のたとえば２０に＋１し、その音量レベルの２１が新たな基準音量とされる（ステップＳ１１）。この新たな基準音量は、次回のテレビジョン受像機１０の電源オン時の音量レベルとして用いられる。また、差分の累計値が音量調整判断値の２００を超えた場合は、いままでの差分の累計値がクリアされ（ステップＳ１２）、新たに差分の累計値が求められることになる。
【００７１】
すなわち、６ＣＨの映像が表示部１３に表示されているときに、テレビジョン受像機１０の電源がオフされると、６ＣＨでの電源オフ時の差分記憶領域３０ｆに記憶されている８が差分の累計値としてメモリ１７に記憶される。
【００７２】
以降、同様にして、テレビジョン受像機１０の電源オンから電源オフに合わせて音量変化サブテーブルが順次作成されるとともに、差分の累計値が求められ、その差分の累計値が音量調整判断値である２００を超えると、前回の基準音量に＋１した新たな基準音量が求められ、その新たな基準音量で電源オン時の音量が自動的に調整される。
【００７３】
このように、本実施例では、制御部１９により、テレビジョン受像機１０の電源オン時にスピーカ１５ａ，１５ｂの音量レベルが初期設定されている基準音量となるように音声増幅回路１４による音量レベルの調整を制御し、たとえばリモコン送信機２０による音量調整操作に合わせて基準音量に対する音量変化の差分をメモリ１７に記憶させ、その音量変化の差分の累計値が所定の音量調整判断値（たとえば２００）に達したとき、初期設定されている基準音量（たとえば＋１する）を変えることで、次回の電源オン時に、その変えた基準音量となるようにスピーカ１５ａ，１５ｂの音量レベルが制御されるようにした。
【００７４】
これにより、たとえばホテル等の宿泊施設の各客室で不特定多数の宿泊客が好みの音量に調整した際の調整値を元に電源オン時の基準音量が自動的に変更されることから、室内のレイアウトや室内の広さが異なる等の要因により、客室毎に電源オン時の音量が適切で無い場合でも、客室毎に電源オン時の音量が適切となるように自動的に設定されることになり、各客室のテレビジョン受像機１０の電源オン時の音量を一元管理するための大がかりなシステムが不要となるばかりか、各客室毎のテレビジョン受像機１０の電源オン時の音量の管理を不要とすることができる。
【００７５】
また、客室毎に電源オン時の音量が適切となるように自動的に設定されることで、たとえば各客室毎のテレビジョン受像機１０の交換等が行われても、上記同様にして、各客室で不特定多数の宿泊客が好みの音量に調整した際の調整値を元に電源オン時の基準音量が自動的に変更されるようにすることができる。
【００７６】
なお、本実施例では、音量変化の差分の累計値が所定の音量調整判断値（たとえば２００）に達したとき、初期の基準音量（たとえば＋１する）を変える場合について説明したが、この例に限らず、たとえば初期の基準音量を高めに設定しておき、音量変化の差分（この場合は−）の累計値が所定の音量調整判断値（たとえば−２００）に達したとき、初期の基準音量（たとえば−１する）を変えるようにしてもよい。
【００７７】
また、所定の音量調整判断値を小さい値とするとともに、たとえば＋（たとえば＋５０）と−（たとえば−５０）の二通りの値としておくことも可能であり、この場合には音量変化の差分の累計値がたとえば＋５０とした音量調整判断値又は−５０とした音量調整判断値に達しやすくなり、宿泊客による音量調整の過大な変更が行われるようなことがあっても、その都度、適正な基準音量に戻されるので、音量が過大に変更されるようなことを抑制することができる。
【００７８】
また、本実施例では、制御部１９により、視聴しているいずれかのＣＨにおいてたとえばリモコン送信機２０による音量調整操作に合わせ基準音量に対する音量変化の差分をメモリ１７に記憶させ、その音量変化の差分の累計値が所定の音量調整判断値（たとえば２００）に達したとき、初期設定されている基準音量（たとえば＋１する）を変えることで、次回の電源オン時に、その変えた基準音量となるようにスピーカ１５ａ，１５ｂの音量レベルが制御されるようにした場合について説明したが、この例に限らず、音量変化の差分をＣＨ毎に記憶させ、そのＣＨ毎の音量変化の差分の累計値が所定の音量調整判断値（たとえば２００）に達したとき、初期設定されている基準音量（たとえば＋１する）を変えることで、次回の電源オン時等に、音量変化の差分の累計値が所定の音量調整判断値（たとえば２００）に達したＣＨが選局されたとき、そのＣＨの音量がその変えた基準音量となるように制御されるようにしてもよい。この場合には、客室毎に電源オン時の音量が適切で無い場合でも、客室毎に電源オン時の音量が適切となるように自動的に設定されることに併せ、ＣＨ毎に音量が適切となるように自動的に設定される。
【００７９】
また、次回の電源オン時に、その変えた基準音量となるようにスピーカ１５ａ，１５ｂの音量レベルが制御されるとき、その音量レベルが表示部１３に所定時間だけＯＳＤ表示されるようにしてもよいし、所定のメニュー画面で確認できるようにしてもよい。これにより、電源オン時での音量レベルの確認を即座に行うことができる。また、メニューを開いた状態でリセットや手動での変更を可能にすることで、部屋の環境が変わったときや、テレビジョン受像機１０を別の部屋へ移動した場合に初期値に戻したり、標準のレベルに再設定することも可能になる。
【００８０】
また、たとえばリモコン送信機２０による音量調整量の範囲が０〜６０の範囲である場合に、音量レベルの記憶範囲を例えば１０〜４５に規制する（音声レベルが８の時も記憶レベルとしては１０、音声レベルが５０の時も記憶レベルは４５）ことで、夜間に音量レベルを８のように極端に音量を絞り込んだ場合や、特定の音楽を音量レベル５０で聴いた場合等の特別なケースを自動設定フローから除くことで、さらに実用に適した自動設定機能を構成することができる。
【産業上の利用可能性】
【００８１】
テレビジョン受像機に限らず、音量調整が必要な他のオーディオプレーヤ等の機器にも適用可能である。
【図面の簡単な説明】
【００８２】
【図１】本発明の音量調整装置が適用されるテレビジョン受像機の一実施例を説明するための図である。
【図２】図１のメモリに設けられている音量変化履歴テーブルを説明するための図である。
【図３】図１のテレビジョン受像機の音量調整方法を説明するためのフローチャートである。
【符号の説明】
【００８３】
１０  テレビジョン受像機
１１  チューナ
１２  映像処理回路
１３  表示部
１４  音声増幅回路（音量レベル調整手段）
１５ａ，１５ｂ  スピーカ
１６  ＯＳＤコントローラ
１７  メモリ（記憶手段）
１８  リモコン受信器
１９  制御部（制御手段）
２０  リモコン送信機
３０  音量変化履歴テーブル
３０ａ，３０ｂ  音量変化サブテーブル
３０ｃ  チャンネル（ＣＨ）記憶領域
３０ｄ  音量変化値記憶領域
３０ｅ  音量レベル変化記憶領域
３０ｆ  差分記憶領域
【図１】
2008206034.tif 000003
【図２】
2008206034.tif 000004
【図３】
2008206034.tif 000005